(57)【要約】本発明は、特に有限のローカルな領域内で移動端末を位置特定する方法及び装置に関するものである。本方法においては、送信側移動端末において、感覚により察知可能であると共に実行可能な機能が規定され、該機能を起動するために機能命令（２０１）が作成される。当該機能命令による機能が該機能命令の受信に対する応答として起動されるように構成された機能命令（２０１）が、確立された無線短距離接続（２０３）を介して送信される。受信側移動端末においては、上記機能命令が無線短距離接続（２０４）を介して受信され、この機能命令において規定された機能が、該機能命令の受信に対する応答として起動される（２０５）。
2005528862.tif 000002
【特許請求の範囲】
【請求項１】
移動端末を位置特定する方法において、該方法が、
−  感覚により検出可能な実行可能な機能を規定するステップと、
−  前記規定された機能を移動端末において起動するために該規定された機能に対応する機能命令を形成するステップ（２０１）と、
−  無線短距離接続を確立するステップ（２０２）と、
−  前記形成された機能命令を前記確立された無線接続を介して送信するステップ（２０３）であって、該機能命令による前記機能が前記形成された機能命令の受信に応答して起動されるように構成されたステップと、
を有することを特徴とする方法。
【請求項２】
請求項１に記載の方法において、前記実行可能な機能が、点滅パターン、振動運動、サウンドパターン又は表示スクリーン上に示される視覚効果のうちの少なくとも１つであると規定されることを特徴とする方法。
【請求項３】
請求項１又は請求項２に記載の方法において、起動コマンド（２０１）の受信に対する応答として、所定のデフォルト機能が起動されることを特徴とする方法。
【請求項４】
請求項１又は請求項２に記載の方法において、機能を起動するための起動コマンド及び該機能を実行するための詳細な命令が、前記機能命令（２０１）において規定されることを特徴とする方法。
【請求項５】
請求項１ないし４の何れか一項に記載の方法において、前記機能及び対応する機能命令（２０１）が、移動端末のユーザインターフェースによって表示されるメニュから選択可能であり、該メニュが機能命令に対応する機能を有していることを特徴とする方法。
【請求項６】
請求項１ないし５の何れか一項に記載の方法において、前記機能は、前記移動端末により実行可能な所与の機能を選択することにより、且つ、該選択された機能が実行されるべく起動される基となるような機能命令（２０１）を作成することにより規定されることを特徴とする方法。
【請求項７】
請求項１ないし６の何れか一項に記載の方法において、前記機能は、前記移動端末に配設された入力要素により、機能を起動するための機能命令（２０１）を作成することにより規定されることを特徴とする方法。
【請求項８】
請求項１ないし７の何れか一項に記載の方法において、前記接続を確立する前記移動端末（２０２）により、無線短距離接続が幾つかの受信側移動端末に対して同時に確立されることを特徴とする方法。
【請求項９】
請求項１ないし８の何れか一項に記載の方法において、前記確立される無線短距離接続（２０２）が送信側移動端末により確立される無線電波リンクであることを特徴とする方法。
【請求項１０】
移動端末の位置を示す方法において、該方法が、
−  前記移動端末において、機能を起動するための機能命令を、無線短距離接続を介して受信するステップ（２０４）と、
−  前記機能命令による前記機能を前記移動端末において前記機能命令の受信に対する応答として起動するステップ（２０５）と、
を有していることを特徴とする方法。
【請求項１１】
請求項１０に記載の方法において、該方法が、前記起動するステップの後に、前記機能命令による機能の実行が許可されるかをチェックすると共に、該機能の実行が許可される場合に該起動された機能を前記機能命令に従って実行するステップ（２０６）を有することを特徴とする方法。
【請求項１２】
請求項１０又は請求項１１に記載の方法において、該方法が、機能を起動するための起動コマンドを含むと共に該機能を実行するための詳細な命令を含む機能命令を受信するステップ（２０４）と、該機能命令の受信に対する応答として、前記機能を前記詳細な命令に従って起動するステップ（２０５）とを有していることを特徴とする方法。
【請求項１３】
請求項１０ないし１２の何れか一項に記載の方法において、該方法が、前記受信された機能命令に対して、機能命令の受信に対する応答としての応答メッセージを短距離接続を介して送信することにより応答するステップを有していることを特徴とする方法。
【請求項１４】
請求項１３に記載の方法において、該方法が、応答メッセージを短距離接続を介して送信することに関するユーザからの確認を要求するステップを有していることを特徴とする方法。
【請求項１５】
請求項１０ないし１４の何れか一項に記載の方法において、該方法が、前記機能命令による機能の実行を、当該装置における実行の禁止を記録することにより禁止するステップと、実行することが禁止された機能命令の受信（２０４）に対する応答として、該機能命令の受信の通知を提示するステップとを有することを特徴とする方法。
【請求項１６】
請求項１０に記載の方法において、該方法が、起動コマンドを受信するステップ（２０４）と、該起動コマンドの受信に対する応答として、所定のデフォルト機能を起動するステップ（２０５）とを有していることを特徴とする方法。
【請求項１７】
移動端末を位置特定する装置において、該装置が、
−  感覚により察知可能な実行可能な機能を規定する手段と、
−  前記移動端末における前記機能の起動を規定する機能命令を作成する手段（１０６）と、
−  短距離接続を確立する手段（１０４）と、
−  前記機能命令を前記確立された接続を介して送信する手段と、
を有することを特徴とする装置。
【請求項１８】
請求項１７に記載の装置において、該装置が、点滅パターン、サウンドパターン、振動運動及び／又は表示スクリーン上に提示される視覚効果を規定する手段を有することを特徴とする装置。
【請求項１９】
請求項１７又は請求項１８に記載の装置において、該装置が、前記機能命令に対して所定のデフォルト機能を起動するための起動コマンドを関連させる手段（１０６）を有することを特徴とする装置。
【請求項２０】
請求項１７ないし１９の何れか一項に記載の装置において、該装置が、前記機能命令に対し前記機能の実行を記述する詳細な命令を追加する手段（１０６）を有することを特徴とする装置。
【請求項２１】
請求項１７ないし２０の何れか一項に記載の装置において、該装置が、前記機能を規定すると共に機能命令を形成するために、当該装置の機能及び対応する機能命令を含むようなメニュを有していることを特徴とする装置。
【請求項２２】
請求項１７ないし２１の何れか一項に記載の装置において、該装置が、特定の機能を規定する手段と、該規定された機能が起動される基となるような機能命令を作成する手段とを有することを特徴とする装置。
【請求項２３】
請求項１７ないし２２の何れか一項に記載の装置において、前記無線短距離接続（１０４）がブルートゥース技術により実現される無線電波リンクであることを特徴とする装置。
【請求項２４】
移動端末の位置を示す装置において、該装置が、
−  前記移動端末において無線短距離接続（１０４）を介して機能命令（１０６）を受信する手段と、
−  前記移動端末において前記機能命令による機能を前記機能命令の受信に対する応答として起動する手段（１０１，１０６）と、
を有していることを特徴とする装置。
【請求項２５】
請求項２４に記載の装置において、該装置が、前記機能命令による機能の実行が許可されるかをチェックする手段と、該機能の実行が許可される場合に前記起動された機能を実行する手段（１１２，１１３，１１５，１１６，１１７）とを有することを特徴とする装置。
【請求項２６】
請求項２４又は請求項２５に記載の装置において、該装置が、機能を起動するための起動コマンド及び該機能のための詳細な命令を含む機能命令を受信する手段（１０６）と、該機能命令の受信に対する応答として、前記機能を前記詳細な命令に従って起動する手段とを有していることを特徴とする装置。
【請求項２７】
請求項２４ないし２７の何れか一項に記載の装置において、該装置が、前記機能命令による機能を拒絶する手段と、実行することが禁止された機能命令の受信に対する応答として、該機能命令の受信を提示する手段とを有することを特徴とする装置。
【請求項２８】
請求項２４ないし２７の何れか一項に記載の装置において、該装置が、受信された機能命令に対する応答として応答メッセージを送信することに関してのユーザからの確認を要求する手段と、応答メッセージを作成する手段と、受信された機能命令に対する応答として前記応答メッセージを、前記機能命令が受信された際の送信元の装置に対し送信する手段とを有していることを特徴とする装置。
【請求項２９】
請求項２８に記載の装置において、該装置が、受信された機能命令に対する応答として応答メッセージを送信することに関してのユーザからの確認を要求する手段を有することを特徴とする装置。
【請求項３０】
請求項２４に記載の装置において、該装置が、機能を起動するための起動コマンドを受信する手段（１０６）と、該起動コマンドの受信に対する応答として、所定のデフォルト機能を起動する手段とを有していることを特徴とする装置。
【発明の詳細な説明】
【技術分野】
【０００１】
本発明は、特には限られたローカル領域内での移動端末の位置特定に関する。
【背景技術】
【０００２】
ホーム登録（home
register）及びビジタ登録（visitor register）においては、有効領域内の移動体装置が何の基地局の下に位置するかが分かる。移動端末の位置は、ネットワークにより又は移動端末とネットワークとの共動により決定することができる。このように、移動装置の位置は、既知の基地局に固有のものである。もっと正確には、移動装置は、例えばＧＰＳ（全地球測位システム）により又は他の既知の測位システムにより位置特定することができる。典型的には、移動装置には所望の地図ベースをロードすることができ、該地図ベースには質問に基づいて多くのデータが記入され、斯かるデータは位置座標、経路及び距離情報、旅程及び距離測定結果並びに同様の情報である。
【０００３】
しかしながら、ユーザの間でのもっと一般的な位置特定問題は、所与の有限領域内で移動装置及び斯かる移動装置の可能性のあるユーザを如何に位置特定するかである。多くの状況において、移動装置が所与の有限領域内に位置することは分かるが、正確な位置は検出されない。例えば、装置が所与の建物内、所与の空間内又は、さもなければ、既知の境界内にあることは分かるかも知れない。しかしながら、斯かる装置の正確な位置は分からない。装置の位置が検出されないという事実は、ユーザ側の観察の不足によるか、又は例えば雑音の多い、暗い、混雑した若しくは霞んだ環境による可能性がある。
【０００４】
典型的には、移動端末が警報する場合、該移動端末が選択されたトーンを繰り返し、ライトが点滅し、テキスト及び／又は画像が表示器上に形成される。移動端末が警報する場合、聴覚及び視覚の両者が刺激される。これが充分でないような状況では、当該移動端末に振動効果を追加することができる。振動効果により発生された接触刺激は、聴覚的及び視覚的刺激がユーザの注意を惹くのに充分でない、例えば雑音の多い又は暗い環境において知覚される。これらのフィーチャはユーザ自身により定められ、当該移動端末又は該端末のユーザを捜している他者は、該移動端末がどの様に警報するかは分からない。更に、これらのフィーチャは調整可能であり、典型的には、ユーザ自身のみが、当該装置が接続要求に対する応答として実行する機能を知り又は識別することができる。
【０００５】
接続を確立するため、又は或る装置から他の装置へ接続要求を送信するだけのために、両装置は当該ネットワークの有効範囲内になければならない。当該装置がネットワーク接続を確立することができない場合、該装置は他の装置との接続も確立することができない。このことは、例えば聴き取り可能性が低い又は存在しないような特定の領域又は特定の空間において、しばしば、問題となる。
【発明の開示】
【発明が解決しようとする課題】
【０００６】
本発明の目的は、移動装置を、人の感覚で知覚することができ、かくして位置特定することができるように駆動することにある。
【課題を解決するための手段】
【０００７】
上記目的は、実行されるべき機能命令が上記移動装置に無線短距離接続を介して送信されるようにして達成される。更に、上記目的は、上記命令に含まれる機能が、斯かる命令の受信に応答して実行されるようにして達成される。
【０００８】
本発明は、独立請求項の特徴部分に記載されたことを特徴とする。本発明の好ましい実施例は従属請求項に記載されている。
【０００９】
本発明の好ましい実施例によれば、移動装置は、人の感覚により知覚することが可能な何らかの規定された機能を遠隔制御により起動することにより、例えば視覚的に位置特定することができる。上記起動は所与の短距離接続を介して実行され、ネットワーク接続は必要とされない。短距離接続で、充分に広範囲である。何故なら、当該目的は、当該装置及び該装置の位置を、該装置により生成される感覚的刺激に基づいて人の感覚により知覚することであるからである。それよい広い機能的有効範囲は必要ではない。何故なら、より長い距離においては、装置は自身の機能に基づいては、いずれにせよ、人の感覚では知覚され得ないからである。
【００１０】
本発明によれば、このように、当該装置及び該装置の携帯者は、これらがネットワーク有効範囲領域外であるような状況、又はネットワークへの接続を何らかの理由により確立することができないような状況においても位置特定することができる。例えば奉仕及び救助活動において、装置は、しばしば、有効範囲外で使用しなければならない。例えば建物の地下庫におけるような小さな領域において、又は照明の劣る状況においては、他の装置又は該装置の携帯者を即座に突き止めることが時には有効である。限られた領域内で活動している場合、他の装置の位置の直接的且つ感覚的に知覚可能な指示の方が、該装置の位置座標を用いた正確な位置よりも、一層必要である。
【００１１】
本発明の好ましい実施例によれば、他の装置の位置特定は、第１装置が例えばサウンド及び点滅ライト機能を規定するために使用され、これら機能が所与の機能命令に組み合わされ、これら命令が第２の受信側装置に、確立された短距離接続を介して送信されるようにして実現される。上記第２装置は上記機能命令を受信する。該受信側装置は、これら命令に従って前記機能を実行し、これら機能が典型的には、当該装置を人の感覚により知覚するのを容易にする。
【発明を実施するための最良の形態】
【００１２】
以下、本発明を、添付図面を参照して詳細に説明する。
【００１３】
図１は、本発明の好ましい実施例による装置を示す。該装置の中心部は制御ユニット１０１であり、該制御ユニットは当該装置の動作及び機能的制御を処理する。制御ユニット１０１は機能を制御及び監視するためのマイクロプロセッサを含む。制御ユニット１０１は当該装置の他の全ての要素に、直接的に又は斯かる要素の制御ユニットを介してリンクされている。
【００１４】
データはキーパッド１０２を介して当該装置に供給することができる。更に、機能はデータ接続部１０３を介して制御又は追加することができる。本発明の好ましい実施例によれば、当該装置は無線接続のための別個の手段１０４も含む。例えば短距離接続を確立するには、要素１０４は電波を処理するチップ、又は赤外線放射を伝送するパネルとすることができる。
【００１５】
当該装置は、メモリユニット１０５及びコントローラに固有のメモリユニット１０５ａ、１０５ｂ、１０５ｃ、１０５ｄを有する。メモリユニット１０５ａ、１０５ｂ、１０５ｃ、１０５ｄなる用語は、データを記憶することができると共に、斯かるデータを当該装置及び該装置の要素による使用のために後に得ることができるような、当該装置における全ての斯様な要素を広く指している。メモリユニットは、サウンド、テキスト、ライト及び当該装置の他の機能を記録する要素と、例えば名前及び番号データを記録することができる別体の交換可能なメモリカードとの両者を含む。
【００１６】
当該装置には、コンポーネント機能を規定及び実行するための所与のプログラム要素１０６が設けられる。該プログラム要素１０６は機能命令を含むと共に処理し、これら機能命令により制御ユニット１０１は個別の要素を直接的に又はそれらの制御ユニットを介して制御する。
【００１７】
当該装置のサウンドコントローラ１０７は種々のサウンドを処理する。サウンドコントローラ１０７は、例えば異なるサウンド及びトーンを格納する別個のメモリユニット１０５ａからサウンド又は種々の音楽トーンをルックアップし又は記録することができる。サウンドコントローラ１０７は、再生されるべきサウンドを例えばサウンドユニット１１２、スピーカ１１３又は同様のサウンド発生装置に伝送する。
【００１８】
当該装置の振動コントローラ１０８は、制御ユニット１０１から、又は種々の振動効果を格納した別のメモリユニット１０５ｂからデータを入力することができる。振動コントローラ１０８は、該入力されたデータを、振動警報器１１５において実現されるように伝送する。
【００１９】
照明コントローラ１０９は、制御ユニット１０１から、又はライト効果を格納した別のメモリユニット１０５ｃからデータを入力することができる。照明コントローラ１０９は機能命令を更に、例えば移動端末のユーザインターフェースを照明するライトユニット１１６に送出する。典型的には、ライトユニット１１６はＬＥＤライトである。該ライトユニットの一部は、当該表示器の背景ライトであり得る。
【００２０】
表示コントローラ１１０は、制御ユニット１０１から、又はグラフィックオブジェクト又はテキストを格納した別個のメモリユニット１０５ｄからデータを入力することができる。表示コントローラ１１０は該データを更に表示器１１７上に示されるように伝送する。表示コントローラ１１０は、上記メモリユニットに格納されたグラフィックオブジェクトを変更することもできる。変更に加えて、表示コントローラ１１０はオブジェクトを組み合わせることができると共に、例えば幾つかの画像を順番に表示して小規模な動画を生成することもできる。
【００２１】
更に、図１に図示された装置（典型的には、移動端末）は、ネットワーク接続を確立し、該ネットワークにデータを送信し、及び該ネットワークからデータを受信するための典型的な送信及び受信枝路を有する。これらの送信及び受信枝路は図１には図示されていない。
【００２２】
本発明の好ましい実施例によれば、プログラム要素１０６は人の感覚により知覚することが可能な機能又は機能群を生成するために使用され、斯かる機能又は機能群は無線接続部１０４を介して受信側装置のプログラム要素に送信することができる。プログラム要素１０６が無線接続部１０４を介して送信された機能を受信すると、これら機能は起動され、かくして、これら機能に従う命令及びコマンドが制御ユニット１０１に伝達され、該制御ユニットが個々の要素を上記機能命令に従って案内する。これら機能命令において通知された機能は、当該装置の各要素により実行される。
【００２３】
本発明の一実施例によれば、受信側装置には、特定のデフォルト機能に向けられた起動コマンドしか送信されない。結果として、受信側装置には、当該装置が起動するコマンドを受信した際に実行される特定のデフォルト機能が規定及び記録される。ユーザは該装置のデフォルト機能を、例えば呼び出しトーンのような当該装置の他の機能と同様の方法により、変更することができる。典型的には、幾つかの異なるデフォルト機能が存在し、当該装置の特別なフィーチャの範囲内において新たなデフォルト機能を追加することもできる。
【００２４】
近くの領域に位置する他の装置を位置特定しなければならない場合、当該状況に適した所望の機能が規定され、機能命令が作成され、該機能命令が位置特定されるべき装置に送信される。該位置特定されるべき装置が上記の規定された機能を実行すれば、該装置は容易に検出することができる。この場合、上記の規定される機能は、人の感覚により知覚することが可能な機能である。これら機能の一つは、例えば、呼び出しトーン又は再生することが可能な他のサウンドパターンであり得る。斯かるサウンドは、例えば、ピーピーと鳴るサウンド、メロディ又は簡単な音楽トーンとすることができる。或る装置にはＭＩＤＩ（楽器デジタルインターフェース）が設けられ、これにより、サウンドパターンを作成及び再生することができる。典型的には、サウンドパターンは、当該装置に設けられたブザー又はスピーカにより再生される。
【００２５】
サウンドと一緒に、又はサウンドに代えて、振動も使用することができる。その場合、当該装置の振動ユニットは、振動運動を生成すべく制御される。該振動運動は、当該装置に直に又は略直に接触する人により、触覚により知覚され得る。振動する装置は、例えば当該装置の振動ユニットが堅い非可撓性表面に接して配置されている場合、より長い距離からでさえ認識することができる。典型的には、堅い表面に対する当該振動ユニットの振動は共振雑音を生じ、該表面は柔軟ではないので、かなり軽い装置は通常は該振動と調子が合って移動する。
【００２６】
サウンドに加えて、又はサウンドに代えて、明瞭な視覚効果を使用するのが時には実用的である。典型的な視覚効果は、当該装置の表示器上に提示されるテキスト、グラフィック図形又は小規模な動画である。スクリーン上に表示されるデータは、遠くからでは当該装置を知覚する助けにはならないが、近くの距離に位置する幾つかの装置から１つの装置を特定しなければならない場合には、これをスクリーン上に表示されるテキストの及び／又はグラフィックの識別子により実行することができる。加えて、スクリーン上に示される斯かる図形は、実行されるべき機能命令を受信した装置のユーザにとり情報的メッセージとして役立ち得る。
【００２７】
表示スクリーン上に表示されるテキスト又はグラフィックスとは別に、当該視覚的機能は当該装置のライトユニットにより実現されるライト効果とすることもできる。当該装置の表示器及びキーパッドの照明は、例えばエレクトロルミネッセンスにより実現することができる。当該装置は、通常は、典型的にはＬＥＤ（発光ダイオード）素子である幾つかのライトユニットにより照明される。例えば移動端末においては、斯かるライトユニットは回路基板上に配置され、該基板においてライトユニットは、しばしば、表示器及びキーパッドの縁部に又はキーの間に配置される。ライトユニットは、これらライトユニットからの光が当該装置に含まれる光導体を介して所望の領域に分配され、且つ、表示器及びキーパッドが照明されるように取り付けられる。これらライトユニットに供給される電力、即ちライトの増加照明及び減衰消滅、を制御することができる。この種の照明の変動は、点滅パターンと呼ばれる。上記ライトユニットに供給される電力を調整することにより種々の点滅パターンを作成することができ、明るさの違いを達成することができる。上記ライトユニットは、順番に又は所与の順序で照明されるグループに配列することもできる。個々のライトユニット及び斯かるユニットへの電源供給を制御することもできる。更に、各ライトユニットにおいて色を使用することもできる。点滅パターンの惹き付け力の重要度は、薄明かりにおいて又は暗闇において増加される。
【００２８】
本発明の好ましい実施例によれば、所望の機能又は機能群は、例えば当該装置の制御メニュにおいて選択することができる。該制御メニュからは、所与の点滅パターン、振動、トーン、グラフィック図又は他のフィーチャを選択することができる。他の実施例によれば、当該移動通信装置には、組み合わされるべき機能に対して、事前にインストールされたモードが設けられる。この場合、機能は各々の予め決められた設定に従って規定され得る。好ましい実施例によれば、上記機能は所望の変形例に編集及び修正することができる。選択された機能を実行するために、機能命令が形成され、該機能命令は更なる使用のために当該装置のメモリに記録することもできる。好ましい実施例によれば、上記機能命令は、受信側装置で規定された、実行されるべきデフォルト機能を起動する起動コマンドである。上記の形成され又は記録された機能命令は、例えば確立された無線電波リンクを介して又は何らかの他の短距離接続を介して他の装置に送信することができる。
【００２９】
送信されるべき機能命令は起動コマンドを含むか、又は斯かる起動コマンドが機能命令と一緒に送信される。好ましい実施例によれば、機能命令による機能は、該機能命令が受信されると即座に起動される。受信側装置は、典型的には、メニュを含み、該メニュにおいて上記機能命令を許可し又は拒絶することができる。ユーザは、自身の装置の機能が他の装置から起動され実行されるのを禁止する可能性を有する。好ましい実施例によれば、他の機能の実行は許可されるが、所与の機能、例えばトーンパターン、は機能命令によっては実行されないことを規定することもできる。例えば、与えられる機能は受信側装置には分からない故に、当該装置が、実行することができない機能命令を受信した場合、対応する予め決められたデフォルト機能を実行することが可能である。有利には、受信側装置は上記機能のための与えられる持続期間又は繰り返し数も規定し、斯かる機能が、当該装置の他の機能が影響を受けるほど多くの電力を消費するのを防止する。
【００３０】
送信側装置において実現される本発明の好ましい実施例による方法を、図２ａを参照して考察しよう。先ず、当該装置はステップ２０１において機能命令を作成する。該機能命令に基づいて、受信者の装置において何の機能が起動されるかが規定される。該機能命令は、例えば或るサウンド効果の再生のような単一の機能、又はサウンド効果及びライトの点滅のような機能の組み合わせを規定することができる。上記機能命令は、該機能命令が事前に記憶されていた場合は、メモリをルックアップすることができる。該機能命令は、受信側装置のデフォルト機能に向けられた起動コマンドでもあり得る。
【００３１】
ステップ２０２において、上記の作成された機能命令が送信されるべき装置に対する接続が確立される。典型的には、該接続は無線短距離電波接続である。装置間の既知の無線短距離接続はブルートゥースである。ブルートゥース技術は、２.４ギガヘルツの周波数範囲内で動作する無線電波リンクに基づくものである。短距離接続を確立するために、例えば赤外線技術が以前から適用されているが、赤外線を用いると、接続パネル間の必須的に一層正確な位置合わせが必要とされると共に、赤外線接続はブルートゥースよりも妨害を一層多く受け易い。ブルートゥースは、小さな空間に納まると共に限られた量のエネルギしか消費しない有利な無線電波技術により実現することができる。
【００３２】
ブルートゥース接続を確立するには、当該接続を行う装置が送受信器チップを含むことを要する。各装置は固有のアドレスを有し、これらの間で確立される接続はポイント・ツー・ポイント型式又はポイント・ツー・マルチポイント型式の何れかとすることができる。この様に、接続は幾つかの受信器に対して同時に確立することができる。ブルートゥース接続の最大有効範囲は１０メートルである。短距離接続は、移動端末、コンピュータ及びＰＤＡ（パーソナル・デジタル・アシスタント）等の種々の装置の間で使用することができる。原理的に、ブルートゥースシステムはパケットスイッチ型であるが、回路スイッチ型接続も確立することができる。通常、装置間に接続が存在しない場合、これら装置は、所謂、待機モードにある。
【００３３】
この実施例の装置がステップ２０２において他の装置又は他の複数の装置との接続を確立したい場合、接続を行う該装置は、識別された装置アドレスに対して直に接続を確立することができるか、又は有効範囲内に位置する装置の尋問を開始することができる。この場合、上記尋問に基づいて検出された装置の全て又は幾つかと、ブルートゥース接続を確立することができる。好ましい実施例によれば、当該装置のメモリには特定の装置のアドレスが記録される。これらは、例えば、対応する名前及び番号情報と関連させて記憶することができる。このように、確立されようとしている目標に対する装置アドレスを、上記メモリにおいて近道検索としてルックアップすることができる。確立された接続に沿い、ステップ２０３において、機能命令が１つ又は幾つかの受信側装置に送信される。
【００３４】
好ましい実施例によれば、機能命令が送信される装置は、送信側装置のメモリに掲載される。このように、装置は自身のメモリ内に、機能命令が送信される装置のリストを有する。斯かるリストは、送信の時間、送信される機能命令及び接続の合計持続時間等の情報で完成することもできる。近くに位置する装置のリストのみを作成すべき場合、この実施例によるリストは、空の機能命令、即ち沈黙的機能を実行するための機能命令を送信することにより作成することができる。その場合、送信側装置は何も実行せず、送信側装置のメモリに掲載されるだけである。
【００３５】
図２ｂは、本発明の好ましい実施例による方法を、受信側装置に関連して図示している。先ず、何らかの他の装置が当該受信側装置と接続を確立する。ステップ２０４において、該接続を介して送信された機能命令が受信される。その後、ステップ２０５において、該機能命令による処理が当該装置において起動される。ここで、起動とは、当該機能命令による処理が開始及び準備され、かくして、起動の後に、対応する実行コマンドが当該機能を実行する要素（又は該要素の制御要素）に送信され得ることを意味する。該起動ステップにおいては、例えば、前記メモリにおいて上記機能命令により機能がルックアップされ、上記機能命令において規定される新たな機能を既知の機能により形成することにより機能が編集され、又は所定のコード言語機能命令が将来の実行のために所定の制御要素に送信される。
【００３６】
その後、ステップ２０５において、当該機能命令による機能を当該受信側装置において実行することができるかがチェックされる。先ず、現装置設定において、他の装置から受信される機能命令による機能を実行することが許可されているかがチェックされる。全般的な禁止が存在する可能性があり、その場合には、機能命令は全く起動することはできない。機能の禁止は、例えば振動のように、特定の機能のみを参照する場合もある。機能命令による機能が許可されていない場合、ユーザは、例えば表示スクリーン上に示されるテキストにより、或る装置が自身の装置に機能命令を送信したと通知され得る。その後、該ユーザは受信された機能命令を起動させる、これら命令を記憶する、又は斯かる命令を削除することができる。
【００３７】
好ましい実施例によれば、ステップ２０５において、機能命令のコマンド及び命令が１つずつ処理される。或るコマンドが受信側装置で実行することができない場合、当該機能命令の次のコマンドに進むか、又は当該受信側装置のデフォルト機能を実行することができる。例えば、受信側装置が振動ユニットを有していない場合、振動機能は実行することができない。サウンドパターンを実行するために、機能命令は単純な起動コマンドを含むことができ、その場合、実行されるべきサウンドパターンはメモリにおいてルックアップされる。該サウンドパターンがメモリで見つからない場合、該機能は実行することができない。起動コマンドと一緒に、例えば或るサウンド又は点滅パターンを形成するために、より詳細な機能命令を送信することもできる。
【００３８】
機能命令の実行が許可される場合、起動された機能命令はステップ２０６において実行される。好ましい実施例によれば、機能命令又は受信側装置の設定が、当該機能がどの程度長く又は何回実行されるかを規定する。このことは電力消費を緩和させる。というのは、例えば振動は、短い時間であっても、かなり多くの電力を消費するからである。ステップ２０６において、受信された機能命令による機能は、或る所定の回数又は持続時間にわたり実行される。実行された機能命令は、更なる使用のために、当該装置のメモリに記憶することができる。
【００３９】
本発明の好ましい実施例による他の装置の起動は、ネットワーク接続を確立するこができなくても、例えば無線電波リンクを介してリアルタイムに実現される。例えば、地下室若しくは地下庫フロア内又は有効範囲外においては、ネットワーク接続は確立することはできない。本フィーチャは、例えば、同じ建物内に居るが煙又は騒音のために互いに気付かない可能性のある警察官又は消防士にとり有効である。更に、本発明による他の装置における所与の機能の活性化は、当該状況において最良に識別される機能を強調することができるか、又はユーザにとり察知するのに最も明瞭であり、かくして当該装置が容易に検出される故に有効である。煙った又は暗い環境では、規定される機能は少なくとも明瞭に視認可能な点滅パターンとすることができる。明るい明るさでは、より良く識別されるフィーチャはサウンドである。騒音環境に関しては、点滅パターンが最良に識別される。一般的に、機能を組み合わせ、感覚に対する幾つかの刺激を同時に生成することが有利である。
【００４０】
本発明の一実施例によれば、移動端末は機能命令を自動的に送信する。機能命令は、例えば１分毎に又は５分毎のように或る期間で周期的に送信することができる。機能命令は、指定された移動端末に送信し、又は一群の移動端末にマルチキャストすることができる。これは、当該移動端末のユーザが、自身の装置を近傍の或る特定の移動端末に関して自動的尋問をなすように設定することを可能にする。自動的尋問は、例えば、コンサート、お祭り又は他の混雑した行事のような著しい量の人を惹き付ける事態において誰かを見付ける場合に有効である。また、受信側移動端末は、受信された機能命令に対して自動的に応答メッセージを送るように設定することができる。受信側移動端末は、有利には、受信された機能命令に対して、該受信された機能命令に対する応答として応答メッセージを送信することにより応答する。応答メッセージは、機能命令又は何らかの他の型式のメッセージとすることができる。これら応答は、典型的には、ブルートゥース又は赤外線リンクのような短距離リンクを介して送信される。これら応答は、例えば装置間の距離の変化により短距離リンクを最早確立することができなくなった場合は、ＧＳＭ又はＵＭＴＳのような長距離リンクを介して送信することもできる。この実施例は、偶然に同じ領域に居あわせた有人が、互いの存在に気付くのを可能にする。有利には、受信側の移動端末は、自身のユーザに対して、応答メッセージを送信する要求を提示する。受信側移動端末のユーザインターフェース上においては、応答メッセージを送信することに関してのユーザからの確認が要求される。この場合、ユーザは応答の送信を取り消す又は確認し、かくして該ユーザは自身の存在を告げたいかを決定することができる。
【図面の簡単な説明】
【００４１】
【図１】図１は、本発明の好ましい実施例による装置のブロック図である。
【図２ａ】図２ａは、送信側装置における本発明の好ましい実施例による方法のフローチャートである。
【図２ｂ】図２ｂは、受信側装置における本発明の好ましい実施例による方法のフローチャートである。
【符号の説明】
【００４２】
１０１    制御ユニット
１０２    キーパッド
１０３    データ接続部
１０４    無線接続部
１０５    メモリユニット
１０６    プログラムコンポーネント
１０７    サウンドコントローラ
１０８    振動コントローラ
１０９    照明コントローラ
１１０    表示コントローラ
１１２    ブザー
１１３    スピーカ
１１５    振動警報器
１１６    ライトユニット
１１７    表示器
【図１】
2005528862.tif 000003
【図２ａ】
2005528862.tif 000004
【図２ｂ】
2005528862.tif 000005
【国際調査報告】
2005528862.tif 000006
2005528862.tif 000007
2005528862.tif 000008